(57)【特許請求の範囲】
【請求項１】
テン真（２，３２）に取り付けられるように構成されたコレット（１０，４０）をその内側コイルに有する第１のヒゲゼンマイ（１１，４１）と、終端カーブ持上げデバイス（１５，４５）により前記第１のヒゲゼンマイ（１１，４１）の外側コイルに接続された第２のヒゲゼンマイ（１３，４３）と、を有するテンプばね（７，３７）であって、
前記第２のヒゲゼンマイ（１３，４３）の内側コイルは、該第２のヒゲゼンマイの平面内でヒゲ持ち（８，３８）に固定されるように構成された自由端（６，３６）を含む固定点を、シフトさせるためのシフトデバイス（１７，４７）を備え、該シフトデバイス（１７，４７）は、弾性トルクを与えることを回避するために前記第２のヒゲゼンマイ（１３，４３）の前記内側コイルから延出する略Ｕ字形状の屈曲部（１４）を介して該内側コイルに接続された、延出ピース（１２，４２）を含むことを特徴とする、テンプばね。
【請求項２】
前記延出ピース（１２，４２）は、弾性トルクを与えることを回避するため、前記第２のヒゲゼンマイよりも高い剛性を有することを特徴とする、請求項１に記載のテンプばね（７，３７）。
【請求項３】
前記延出ピース（１２，４２）は、前記第２のヒゲゼンマイ（１３，４３）と一体であることを特徴とする、請求項１または２に記載のテンプばね（７，３７）。
【請求項４】
前記延出ピース（１２，４２）は、前記第２のヒゲゼンマイの厚さに比べて少なくとも３倍の厚みがあることにより、剛性がより高くなっていることを特徴とする、請求項３に記載のテンプばね（７、３７）。
【請求項５】
地板（３４’）とテンプ受（４，３４）との間に取り付けられたテン真（２，３２）に回転可能に嵌められたテン輪（５，３５）を有するテンプ（５，３５；７，３７）型の振動体（３，３３）を備えるムーブメント（１，３１）であって、
請求項１ないし４のいずれかに記載のテンプばね（７，３７）の前記自由端と、該テンプばねを前記テンプ受に接続しているヒゲ持ち（８，３８）を介して協働する、前記ヒゲ持ちにピンアップするシステム（９，３９）を備えることを特徴とする、ムーブメント。
【請求項６】
前記ピニング・システム（９，３９）は、前記ヒゲ持ちの位置を調整可能にするように、前記ヒゲ持ちと前記テンプ受との間に取り付けられた、前記ヒゲ持ち（８，３８）を調整するためのデバイス（１９，４９）を有していることを特徴とする、請求項５に記載のムーブメント（１，３１）。
【請求項７】
前記ヒゲ持ち（３８）を調整するための前記デバイス（４９）は、前記ヒゲ持ちをクランプする手段（４８）と、前記テンプ受への取付手段（５０）とを有していることを特徴とする、請求項６に記載のムーブメント（３１）。
【請求項８】
前記クランプ手段（４８）は、前記ヒゲ持ちを選択的にクランプするために、カム（５３）によって制御される弾性クランプ（５２）を有していることを特徴とする、請求項７に記載のムーブメント（３１）。
【請求項９】
前記取付手段（５０）は、前記ヒゲ持ち（３８）の位置を前記テンプ受（３４）に対して調整することができるように、前記テンプ受との摩擦による締り嵌めにより協働するためのアタッチメント（５１）を有していることを特徴とする、請求項７または８に記載のムーブメント（３１）。
【請求項１０】
前記アタッチメント（５１）は、前記ヒゲ持ち（３８）の位置を前記テン真と同心円状に変更するために、前記テンプ受の環状部分の環状体（５８）に取り付けられるための２つの略環状のアーム（５５、５７）を形成していることを特徴とする、請求項９に記載のムーブメント（３１）。
【請求項１１】
前記ヒゲ持ち調整デバイス（１９）は、前記ヒゲ持ちを係止する手段（１８）と、前記テンプ受（４）への取付手段（２０）とを有していることを特徴とする、請求項６に記載のムーブメント（１）。
【請求項１２】
前記係止手段（１８）は、前記ヒゲ持ちをクランプするため、前記テンプ受（４）への前記取付手段に対して前記ヒゲ持ち（８）の一端を保持する部分（２２）を有していることを特徴とする、請求項１１に記載のムーブメント（１）。
【請求項１３】
前記取付手段（２０）は、前記ヒゲ持ち（８）の位置を前記テンプ受（４）に対して選択的に調整することができるように、前記テンプ受に対してネジ止めされるためのアタッチメント（２１）を有していることを特徴とする、請求項１１または１２に記載のムーブメント（１）。
【請求項１４】
前記アタッチメント（２１）は、前記ヒゲ持ち（８）の位置を前記テン真と同心円状に変更するために、前記テンプ受の環状部分の環状体（２６）に対してスライドするための凹部（２５）を有していることを特徴とする、請求項１３に記載のムーブメント（１）。
【発明の詳細な説明】
【技術分野】
【０００１】
本発明は、テンプ型振動体のテンプばねに関し、より具体的には、２つのヒゲゼンマイを有するテンプばねに関するものである。
【背景技術】
【０００２】
特許文献１では、終端カーブ持上げデバイスにより接続された２つのヒゲゼンマイを用いてテンプばねを形成することが知られている。このテンプばねは、時計の等時性に関して良好な結果を示すが、コレットにピンアップされる端部と反対の、テンプばねの自由端がテン真に近すぎる場合は、時計ムーブメントへの取り付けが問題となることがある。
【先行技術文献】
【特許文献】
【０００３】
【特許文献１】欧州特許出願公開第２４０５３１２号
【発明の概要】
【課題を解決するための手段】
【０００４】
本発明の目的は、ヒゲ持ちにピンアップされる点をシフトさせるためのデバイスを備えた、２つのヒゲゼンマイを有するテンプばねを提供することにより、上記欠点の一部またはすべてを克服することである。
【０００５】
本発明は、テンプばねに関し、これは、テン真に取り付けられるように構成されたコレットをその内側コイルに有する第１のヒゲゼンマイと、終端カーブ持上げデバイスにより第１のヒゲゼンマイの外側コイルに接続された第２のヒゲゼンマイと、を有しており、第２のヒゲゼンマイの内側コイルは、該第２のヒゲゼンマイの平面内でヒゲ持ちに固定されるように構成された自由端を含む固定点を、シフトさせるためのデバイスを備えることを特徴としている。
【０００６】
これにより、テンプばねは、そのコイルの２つの間でヒゲ持ちにピンアップされるが、展開中、すなわち収縮フェーズと伸張フェーズの両方の際にそれらのコイルに触れることなくピンアップされることは明らかである。
【０００７】
本発明の他の効果的な特徴によれば、
‐  シフトデバイスは、第２のヒゲゼンマイの内側コイルから延出するピースを含んでおり、該ピースは、弾性トルクを与えることを回避するため、第２のヒゲゼンマイよりも高い剛性を有している。
‐  延出ピースは、略Ｕ字形状の屈曲部を介して内側コイルに接続されている。
‐  延出ピースは、第２のヒゲゼンマイと一体である。
‐  延出ピースは、第２のヒゲゼンマイの厚さに比べて少なくとも３倍の厚みであることにより、剛性がより高くなっている。
【０００８】
本発明は、さらに、地板とテンプ受との間に取り付けられたテン真に回転可能に嵌められたテン輪を有するテンプ型振動体を備えたムーブメントに関し、前述の様々な態様のいずれかによるテンプばねの上記自由端と、テンプばねをテンプ受に接続しているヒゲ持ちを介して協働する、ヒゲ持ちにピンアップするシステムを備えることを特徴とする。
【０００９】
本発明の他の効果的な特徴によれば、
‐  テンプばねをヒゲ持ちにピンアップするシステムは、ヒゲ持ちの位置を調整可能にするように、ヒゲ持ちとテンプ受との間に配置された、ヒゲ持ちを調整するためのデバイスを有している。
‐  第１の態様によれば、ヒゲ持ち調整デバイスは、ヒゲ持ちをクランプする手段と、テンプ受への取付手段とを有している。
‐  クランプ手段は、ヒゲ持ちを選択的にクランプするために、カムによって制御される弾性クランプを有している。
‐  取付手段は、ヒゲ持ちの位置をテンプ受に対して調整することができるように、テンプ受との摩擦による締り嵌めにより協働するアタッチメントを有している。
‐  アタッチメントは、ヒゲ持ちの位置をテン真と同心円状に変更するために、テンプ受の環状部分の環状体に取り付けられるための２つの略環状のアームを形成している。
‐  第２の態様によれば、ヒゲ持ち調整デバイスは、ヒゲ持ちを係止する手段と、テンプ受への取付手段とを有している。
‐  係止手段は、ヒゲ持ちをクランプするため、テンプ受への取付手段に対してヒゲ持ちの一端を保持する部分を有している。
‐  取付手段は、ヒゲ持ちの位置をテンプ受に対して選択的に調整することができるように、テンプ受に対してネジ止めされるアタッチメントを有している。
‐  アタッチメントは、ヒゲ持ちの位置をテン真と同心円状に変更するために、テンプ受の環状部分の環状体に対してスライドする凹部を有している。
【００１０】
その他の特徴および効果は、限定するものではない例として、添付の図面を参照して提示される以下の説明から、明らかになるであろう。
【図面の簡単な説明】
【００１１】
【図１】図１は、本発明に係るムーブメントの第１の実施形態の斜視図である。
【図２】図２は、本発明に係るムーブメントの第１の実施形態の斜視図である。
【図３】図３は、本発明に係るムーブメントの第２の実施形態の斜視図である。
【図４】図４は、本発明に係るムーブメントの第２の実施形態の斜視図である。
【図５】図５は、本発明に使用するクランプ手段の平面図である。
【図６】図６は、本発明に係るムーブメントの第２の実施形態の斜視図である。
【発明を実施するための形態】
【００１２】
本発明に係るムーブメント１の第１の実施形態を、図１および２に示している。本発明に係るムーブメント１は、好ましくは、時計（図示せず）に装着されるためのものである。
【００１３】
好ましくは時計ムーブメントであるムーブメント１は、図１および２に示すように、テンプ型７、５の振動体３を備えている。本発明によれば、ムーブメント１は、地板（図示せず）とテンプ受４との間に取り付けられたテン真２に回転可能に嵌められたテン輪５を有している。図２の例では、テン輪５は、可変慣性タイプのものである。他のタイプのテン輪を用いることもできることは明らかである。
【００１４】
本発明によれば、効果的に、ムーブメント１はピニング・システム９をさらに有しており、これは、テンプばね７をテンプ受４に接続しているヒゲ持ち８を介して、テンプばね７の自由端６と、協働するためのものである。
【００１５】
本発明によれば、好ましくは、テンプばね７は、テン真２に取り付けられるように構成されたコレット１０をその内側コイルに有する第１のヒゲゼンマイ１１と、終端カーブ持上げデバイス１５により第１のヒゲゼンマイ１１の外側コイルに接続された第２のヒゲゼンマイ１３と、を有している。ヒゲゼンマイ１１と１３の間の終端カーブ持上げデバイス１５は、好ましくは、本出願人の名義によるスイス国特許出願第０７９５／１０号に開示されているデバイスである。また、テンプばね７は、好ましくは、同じく本出願人の名義によるスイス国特許出願第１１４４／１０号の教示に従ったものであり、よって、好ましくは、シリコンベースで形成されたものである。スイス国特許出願第０７９５／１０号および第１１４４／１０号は、本発明を理解する上で有効である。
【００１６】
さらに、第２のヒゲゼンマイ１３の内側コイルは、好ましくは、第２のヒゲゼンマイ１３の平面内でヒゲ持ち８にピンアップされるように構成された自由端６の固定点をシフトさせるためのデバイス１７を備えている。特定の形状のテンプばね７が、その自由端６がテン真２に近いことによって、そのテンプばねの組み付けが不可能になることを回避するために、シフトデバイス１７は特に有用である。
【００１７】
図２に示すように、シフトデバイス１７は、第２のヒゲゼンマイ１３の内側コイルから延出するピース１２を含んでいる。ピース１２は、好ましくは、振動体３に弾性トルクを与えることを回避するため、第２のヒゲゼンマイ１３よりも高い剛性を有している。図２でより明確に分かるように、ピース１２は、好ましくは、第２のヒゲゼンマイ１３の厚さすなわちブレード幅に比べて、例えば少なくとも３倍の厚みであるなど、より厚みがあることにより、剛性がより高くなっている。この場合、ピース１２の形状は、接触が生じないように、第２のヒゲゼンマイ１３のコイルのカーブに部分的に適合していることは明らかである。
【００１８】
さらに、具体的な代替例によれば、ピース１２は、第２のヒゲゼンマイ１３と一体であることが好ましく、また、そのヒゲゼンマイの高さはピース１２の高さとほぼ等しい、つまり同一平面内にあることが好ましい。
【００１９】
弾性トルクの供与をさらに制限するため、延出ピース１２は、より好ましくは、略Ｕ字形状の屈曲部１４を介して第２のヒゲゼンマイ１３の内側コイルに接続されている。テンプ受４によってテンプばね７の自由端６に形成される固定点を、延出ピース１２と屈曲部１４によって、より近づけ得ることは明らかである。
【００２０】
そして、図１および２の第１の実施形態では、ピース１２は、止まり穴または貫通穴とすることができる略矩形断面の凹部１６を有しており、これは、ピニング・システム９と、より正確にはヒゲ持ち８と、協働するためのものである。
【００２１】
ピニング・システム９は、好ましくは、ヒゲ持ち８を調整するためのデバイス１９を有しており、これは、その位置を調整可能にするように、ヒゲ持ちとテンプ受４との間に取り付けられている。調整デバイス１９は、好ましくは、ヒゲ持ち８を係止する手段１８と、テンプ受４への取付手段２０とを有している。
【００２２】
本発明によれば、好ましくは、係止手段１８は、ヒゲ持ち８の一端を上記取付手段２０（図１の例では、アタッチメント２１）に対して保持する部分２２を備えており、これにより、ヒゲ持ち８をクランプしている。図１に示す例では、ヒゲ持ち８の端部は、Ｌ字形状であって、アタッチメント２１に対してネジ止めされているオーバラップ部分２２によって、アタッチメント２１の溝内に係止されている。
【００２３】
取付手段２０は、好ましくは、ヒゲ持ち８の位置をテンプ受４に対して選択的に調整することができるように、テンプ受４に対してネジ止めおよび係止されるためのアタッチメント２１を含んでいる。これは、アタッチメント２１に形成されて、ネジ２４の軸を受け取る長円穴２３によって可能となり、これによってテンプ受４と協働する。この場合、ネジ２４の軸をねじ込む前に穴２３にスライドさせることにより、アタッチメント２１をいくつかの位置で係止することができることは明らかである。
【００２４】
そして、アタッチメント２１は、ヒゲ持ち８の位置をテン真２と同心円状に変更するように、テンプ受４の環状部分の環状体２６に対してスライドするための凹部２５を有している。図１に示す例では、環状体２６は、ムーブメント１の耐振軸受の一部であることが分かる。本発明によれば、好ましくは、耐振軸受は、本出願人の名義によるスイス国特許出願第０７２０／０５号に開示されているものであり、この文献は、本願発明を理解する上で有用である。
【００２５】
注目されるのは、図１に示すように、アタッチメント２１を上記耐振軸受にフィットさせるため、弾性アームが適切に機能するように凹部が形成されていることである。この場合、シフトデバイス１７またはピニング・システム９に必要な変更を加えて、ムーブメント１の他の構成要素にフィットさせることができることは明らかである。
【００２６】
このように、第１の実施形態によるムーブメント１は、好ましくはテン真２に対するヒゲ持ち８の位置の同心円状の調整を可能にするピニング・システム９によりテンプ受４に固定された、二重テンプばね７を備えている。
【００２７】
本発明に係るムーブメント３１の第２の実施形態を図３〜６に示している。本発明に係るムーブメント３１は、好ましくは、時計（図示せず）に装着されるためのものである。
【００２８】
好ましくは時計ムーブメントであるムーブメント３１は、図３および６に示すように、テンプ型３７、３５の振動体３３を備えている。本発明によれば、ムーブメント３１は、地板３４’とテンプ受３４との間に取り付けられたテン真３２に回転可能に嵌められたテン輪３５を有している。図３および６の例では、テン輪３５は、可変慣性タイプのものである。他のタイプのテン輪を用いることもできることは明らかである。
【００２９】
本発明によれば、効果的に、ムーブメント３１はピニング・システム３９をさらに有しており、これは、テンプばね３７をテンプ受３４に接続しているヒゲ持ち３８を介して、テンプばね３７の自由端３６と、協働するためのものである。
【００３０】
本発明によれば、好ましくは、テンプばね３７は、テン真３２に取り付けられるように構成されたコレット４０をその内側コイルに有する第１のヒゲゼンマイ４１と、終端カーブ持上げデバイス４５により第１のヒゲゼンマイ４１の外側コイルに接続された第２のヒゲゼンマイ４３と、を有している。ヒゲゼンマイ４１と４３の間の終端カーブ持上げデバイス４５は、好ましくは、本出願人の名義によるスイス国特許出願第０７９５／１０号に開示されているデバイスである。また、テンプばね３７は、好ましくは、同じく本出願人の名義によるスイス国特許出願第１１４４／１０号の教示に従ったものであり、よって、好ましくは、シリコンベースで形成されたものである。スイス国特許出願第０７９５／１０号および第１１４４／１０号は、本願発明を理解する上で有用な先行文献である。
【００３１】
さらに、第２のヒゲゼンマイ４３の内側コイルは、好ましくは、第２のヒゲゼンマイ４３の平面内でヒゲ持ち３８にピンアップされるように構成された自由端３６の固定点をシフトさせるためのデバイス４７を備えており、これは、第１の実施形態のそれに相当するものである。特定の形状のテンプばね３７が、その自由端３６がテン真３２に近いことによって、そのテンプばねの組み付けが不可能になることを回避するために、シフトデバイス４７は特に有用である。
【００３２】
図４に示すように、シフトデバイス４７は、第２のヒゲゼンマイ４３の内側コイルから延出するピース４２を含んでいる。ピース４２は、好ましくは、振動体３３に弾性トルクを与えることを回避するため、第２のヒゲゼンマイ４３よりも高い剛性を有している。図４でより明確に分かるように、ピース４２は、好ましくは、第２のヒゲゼンマイ４３の厚さすなわちブレード幅に比べて、例えば少なくとも３倍の大きさの厚さであるなど、より厚みがあることにより、剛性がより高くなっている。この場合、ピース４２の形状は、接触が生じないように、第２のヒゲゼンマイ４３のコイルのカーブに部分的に適合していることは明らかである。
【００３３】
さらに、図６に示す具体的な代替例によれば、ピース４２は、第２のヒゲゼンマイ４３と一体であることが好ましく、また、そのヒゲゼンマイの高さはピース４２の高さとほぼ等しい、つまり同一平面内にあることが好ましい。また、注目されるのは、延出ピース４２には、効果的に、その剛性を低下させることなく質量を低減するための穴が開けられていることである。
【００３４】
第１の実施形態と同様の効果を伴って、弾性トルクの供与をさらに制限するため、延出ピース４２は、より好ましくは、略Ｕ字形状の屈曲部４４を介して第２のヒゲゼンマイ４３の内側コイルに接続されている。
【００３５】
そして、図３〜６の第２の実施形態では、ピース４２は、止まり穴または貫通穴とすることができる略矩形断面の凹部１６を有しており、これは、ピニング・システム３９と、より正確にはヒゲ持ち３８と、協働するためのものである。
【００３６】
ピニング・システム３９は、好ましくは、ヒゲ持ち３８を調整するためのデバイス４９を有しており、これは、ヒゲ持ち３８の位置を調整可能にするように、ヒゲ持ちとテンプ受３４との間に取り付けられている。調整デバイス４９は、好ましくは、ヒゲ持ち３８をクランプする手段４８と、テンプ受３４への取付手段５０とを有している。
【００３７】
本発明によれば、好ましくは、クランプ手段４８は、ヒゲ持ち３８を選択的にクランプするために、カム５３によって制御される弾性クランプ５２を有している。図４および５に示す例では、クランプ５２は、取付手段５０に対する、より具体的にはアタッチメント５１に対する固定部５４によって形成されており、テン真３２を非接触で受け取るための穴５９を備えている。
【００３８】
クランプ５２は、さらに、固定部５４に弾性的に接続されて、カム５３により制御される可動部５６を有している。この場合、図５の表示では、クランプ手段４８は、カム５３が最大の力を引き起こすことで、クランプ手段４８に対してヒゲ持ちを相対移動させないように、摩擦による締り嵌めにより手段４８がヒゲ持ち３８をクランプする状態にあることは明らかである。当然のことながら、クランプ手段４８とヒゲ持ち３８との間の接触面は、上記相対移動をさらに制限するため、例えば溝付きおよび／またはひだ付きに変更することもできる。
【００３９】
取付手段５０は、好ましくは、ヒゲ持ち３８の位置をテンプ受３４に対して調整することができるように、テンプ受３４との摩擦による締り嵌めにより協働するためのアタッチメント５１を含んでいる。この目的のため、アタッチメント５１は、ヒゲ持ち３８の位置をテン真３２と同心円状に変更するために、テンプ受３４の環状部分の環状体５８に対して取り付けられるための２つの略環状のアーム５５、５７を形成している。この場合、環状体５８に対して各アーム５５，５７を動かすことにより、アタッチメント５１をいくつかの位置で係止することができることは明らかである。
【００４０】
図３に示す例では、環状体５６は、ムーブメント３１の耐振軸受の一部であることが分かる。本発明によれば、好ましくは、耐振軸受は、本出願人の名義によるスイス国特許出願第０７２０／０５号に開示されているものである。
【００４１】
第１の実施形態と同様に、シフトデバイス４７またはピニング・システム３９に必要な変更を加えて、ムーブメント３１の他の構成要素にフィットさせることができることは、もちろん明らかである。
【００４２】
このように、第２の実施形態によるムーブメント３１は、好ましくはテン真３２に対するヒゲ持ち３８の位置の同心円状の調整を可能にするピニング・システム３９によりテンプ受３４に固定された、二重テンプばね３７を備えている。第２の実施形態によると、第１の実施形態に比較して、振動体３３を、よりアクセスしやすく、より見えるようにすることが可能であることは明らかである。
【００４３】
当然のことながら、本発明は、図示の例に限定されるものではなく、当業者が想到するであろう様々な変形および変更が可能である。特に、ピース４２の場合と同様に、質量を低減するために部分的に穴が開けられたピース１２を想定することができる。また、テンプばね７，３７の展開を最適化するため、ピース１２、４２の場合と同様に、コレット１０、４０と第１のヒゲゼンマイ１１，４１との間に、より剛性の高い部分が存在することを想定することができる。
【図１】
0005486058.tif 000002
【図２】
0005486058.tif 000003
【図３】
0005486058.tif 000004
【図４】
0005486058.tif 000005
【図５】
0005486058.tif 000006
【図６】
0005486058.tif 000007